【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
背景画像にオーバーレイ画像を重ね合わせて重ね合わせ画像として出力する合成回路部と、前記重ね合わせ画像を反転させて反転処理した画像として出力する反転回路部と、前記合成回路部及び前記反転回路部を制御する制御回路部と、前記反転処理した画像を表示する表示画面とを備えた表示装置であって、前記制御回路部は、前記反転回路部での反転方向を設定するとともに、前記重ね合わせ画像を反転させる際に前記オーバーレイ画像の位置が反転前と反転後で変わらないように、前記背景画像に前記オーバーレイ画像を重ね合わせる位置を設定することを特徴とする表示装置。
【請求項２】
前記反転回路部での反転方向は、反転なし、上下の反転、左右の反転、及び上下左右の反転のうち少なくとも１つを含むことを特徴とする請求項１に記載の表示装置。
【請求項３】
前記オーバーレイ画像は、前記反転回路部での反転方向を示す画像、アイコン、メッセージ、及びカーソルのうち少なくとも１つを含むことを特徴とする請求項１又は２に記載の表示装置。
【請求項４】
前記メニュー画面に前記オーバーレイ画像の反転方向をユーザに選択させるための要求受付部を備え、該要求受付部は選択された反転方向に関する情報を前記制御回路部に通知することを特徴とする請求項３に記載の表示装置。
【請求項５】
背景画像にオーバーレイ画像を重ね合わせて重ね合わせ画像として出力する合成回路部と、前記重ね合わせ画像を反転させて反転処理した画像として出力する反転回路部と、前記合成回路部及び前記反転回路部を制御する制御回路部と、前記反転処理した画像を表示する表示画面と、前記オーバーレイ画像の反転方向をユーザに選択させるための要求受付部とを備えた表示装置であって、前記オーバーレイ画像は、前記反転回路部での反転方向をユーザに選択させるための前記要求受付部のメニュー画面を含み、前記要求受付部は、前記反転設定のメニュー画面で選択された反転方向に関する情報を前記制御回路部に通知し、前記制御回路部は、前記反転回路部での反転方向を設定するとともに、前記反転設定のメニュー画面が前記背景画像の中央の位置で重ね合わさるように設定することを特徴とする表示装置。
【請求項６】
前記反転回路部での前記反転方向は、反転なし、上下の反転、左右の反転、及び上下左右の反転のうち少なくとも１つを含むことを特徴とする請求項５に記載の表示装置。
【手続補正２】
【補正対象書類名】明細書
【補正対象項目名】００１５
【補正方法】変更
【補正の内容】
【００１５】
上記目的を達成するための本発明に係る表示装置の技術的特徴は、背景画像にオーバーレイ画像を重ね合わせて重ね合わせ画像として出力する合成回路部と、前記重ね合わせ画像を反転させて反転処理した画像として出力する反転回路部と、前記合成回路部及び前記反転回路部を制御する制御回路部と、前記反転処理した画像を表示する表示画面とを備えた表示装置であって、前記制御回路部は、前記反転回路部での反転方向を設定するとともに、前記重ね合わせ画像を反転させる際に前記オーバーレイ画像の位置が反転前と反転後で変わらないように、前記背景画像に前記オーバーレイ画像を重ね合わせる位置を設定することにある。
【手続補正３】
【補正対象書類名】明細書
【補正対象項目名】００１６
【補正方法】変更
【補正の内容】
【００１６】
また、本発明に係る表示装置の技術的特徴は、背景画像にオーバーレイ画像を重ね合わせて重ね合わせ画像として出力する合成回路部と、前記重ね合わせ画像を反転させて反転処理した画像として出力する反転回路部と、前記合成回路部及び前記反転回路部を制御する制御回路部と、前記反転処理した画像を表示する表示画面と、前記オーバーレイ画像の反転方向をユーザに選択させるための要求受付部とを備えた表示装置であって、前記オーバーレイ画像は、前記反転回路部での反転方向をユーザに選択させるための前記要求受付部のメニュー画面を含み、前記要求受付部は、前記反転設定のメニュー画面で選択された反転方向に関する情報を前記制御回路部に通知し、前記制御回路部は、前記反転回路部での反転方向を設定するとともに、前記反転設定のメニュー画面が前記背景画像の中央の位置で重ね合わさるように設定することにある。
【手続補正４】
【補正対象書類名】明細書
【補正対象項目名】００２９
【補正方法】変更
【補正の内容】
【００２９】
スキャンコンバータ１３は入力されたデジタルＲＧＢ信号及びＹＵＶ信号の何れかを、液晶プロジェクタのメニュー移行、及びそれに関連してデバイスの設定等の制御を行い制御回路部として機能するマイクロコンピュータ１９からの指示に従って選択して、周波数や解像度を認識した後に、入力画像としてフレームバッファ１５に記録する。その後に、スキャンコンバータ１３は書き込みとは非同期にフレームバッファ１５から入力画像を読み込み、適切な解像度の画像信号に変換した後にＯＳＤ回路１４に出力する。
【手続補正５】
【補正対象書類名】明細書
【補正対象項目名】００３０
【補正方法】変更
【補正の内容】
【００３０】
なお、フレームバッファ１５は前述の入力画像とは別に、マイクロコンピュータ１９の指示によりオーバーレイ画像を記録する。記録されたオーバーレイ画像はＯＳＤ回路１４により読み出され、合成回路部として機能するＯＳＤ回路１４はスキャンコンバータ１３から出力される画像とオーバーレイ画像とに対し、オーバーレイ処理を行った後に、Ｄ／Ａコンバータ１６に上書き後の画像をデジタルＲＧＢ信号として出力する。また、代表的なオーバーレイ画像は後述するメニュー画面である。
【手続補正６】
【補正対象書類名】明細書
【補正対象項目名】００３１
【補正方法】変更
【補正の内容】
【００３１】
ライトバルブ駆動回路１７はライトバルブ上の画像をそのまま形成させる他に、左右反転又は上下反転、又は左右かつ上下反転を加えて形成させるように、ライトバルブを駆動することが可能である。ライトバルブには、実際には透過型液晶パネル、反射型液晶パネル又はミラーデバイス等が用いられている。このライトバルブによって、図示しない光源からの光が透過又は反射して、レンズデバイスを通り表示画面として機能するスクリーンに画像となって投射される。
【手続補正７】
【補正対象書類名】明細書
【補正対象項目名】００３６
【補正方法】変更
【補正の内容】
【００３６】
領域Ｒ５は反転方向を示すデータが格納される１バイトの領域であり、反転方向は「なし」、「左右」、「上下」、「上下左右」の４つであり、それぞれ固有のＩＤが振られて格納されている。また、液晶プロジェクタの起動時及び後述するメニュー画面上の設定が変更された場合には、マイクロコンピュータ１９によりこの領域Ｒ５の値に従って、適する反転処理がされるように反転回路部として機能するライトバルブ駆動回路１７の設定が変更される。なお、この際のマイクロコンピュータ１９の詳しい制御については後述する。
【手続補正８】
【補正対象書類名】明細書
【補正対象項目名】００４５
【補正方法】変更
【補正の内容】
【００４５】
図５は図３のメニュー画面３１において、反転設定Ｆを選択した際の下階層の反転設定画面を示しており、背景画像３２は図３と同様であり、反転設定画面３４はこの背景画像３２の右下に表示される。この反転設定画面３４には、なしＡ、上下Ｂ、左右Ｃ、上下左右Ｄの４つの反転に関する設定をするための要求受付部として機能する選択肢が表示される。